(57)【特許請求の範囲】
【請求項１】
硬貨投入部に投入された硬貨を計数する硬貨処理装置において、
硬貨投入部から１枚ずつ繰り出された硬貨を計数する識別部を有し、前記識別部により計数できなかった硬貨を通過させるリジェクト口および前記識別部により計数された硬貨を通過させる受入れ口が形成された円盤状の硬貨搬送部と、
前記識別部により計数された硬貨を貯留し、該硬貨の放出先としての返却放出口と収納放出口とを選択可能に開閉する底部を有する一時保留部と、
前記リジェクト口の下方に配設され、前記リジェクト口から落下した硬貨をリジェクト硬貨収容部へ案内するリジェクトシュートと、
前記受入れ口の下方に配設され、前記受入れ口から落下した硬貨を前記一時保留部へ案内する受入れシュートと、
前記一時保留部の返却放出口の下方に配設され、前記一時保留部から落下して前記返却放出口を通過した硬貨を硬貨返却箱へ案内する返却シュートと、
前記一時保留部の収納放出口の下方に配設され、前記一時保留部から落下して前記収納放出口を通過した硬貨を硬貨収納庫へ案内する収納シュートとを備え、
前記識別部により計数された硬貨をすべて前記硬貨返却箱へ移送する場合、前記一時保留部の底部を予め返却放出口側に開放しておくことを特徴とする硬貨処理装置。
【請求項２】
硬貨投入部に投入された硬貨を計数する硬貨処理装置において、
硬貨投入部から１枚ずつ繰り出された硬貨を計数する識別部を有し、前記識別部により計数できなかった硬貨を通過させるリジェクト口および前記識別部により計数された硬貨を通過させる受入れ口が形成された円盤状の硬貨搬送部と、
前記識別部により計数された硬貨を貯留し、該硬貨の放出先としての返却放出口と収納放出口とを選択可能に開閉する底部を有する一時保留部と、
前記リジェクト口の下方に配設され、前記リジェクト口から落下した硬貨をリジェクト硬貨収容部へ案内するリジェクトシュートと、
前記受入れ口の下方に配設され、前記受入れ口から落下した硬貨を前記一時保留部へ案内する受入れシュートと、
前記一時保留部の返却放出口の下方に配設され、前記一時保留部から落下して前記返却放出口を通過した硬貨を硬貨返却箱へ案内する返却シュートと、
前記一時保留部の収納放出口の下方に配設され、前記一時保留部から落下して前記収納放出口を通過した硬貨を硬貨収納庫へ案内する収納シュートとを備え、
前記識別部により計数された硬貨をすべて前記硬貨収納庫へ収納する場合、前記一時保留部の底部を予め収納放出口側に開放しておくことを特徴とする硬貨処理装置。
【請求項３】
硬貨投入部に投入された硬貨を計数する硬貨処理装置において、
硬貨投入部から１枚ずつ繰り出された硬貨を計数する識別部を有し、前記識別部により計数できなかった硬貨を通過させるリジェクト口および前記識別部により計数された硬貨を通過させる受入れ口が形成された円盤状の硬貨搬送部と、
前記識別部により計数された硬貨を貯留し、該硬貨の放出先としての返却放出口と収納放出口とを選択可能に開閉する底部を有する一時保留部と、
前記リジェクト口の下方に配設され、前記リジェクト口から落下した硬貨をリジェクト硬貨収容部へ案内するリジェクトシュートと、
前記受入れ口の下方に配設され、前記受入れ口から落下した硬貨を前記一時保留部へ案内する受入れシュートと、
前記一時保留部の返却放出口の下方に配設され、前記一時保留部から落下して前記返却放出口を通過した硬貨を硬貨返却箱へ案内する返却シュートと、
前記一時保留部の収納放出口の下方に配設され、前記一時保留部から落下して前記収納放出口を通過した硬貨を硬貨収納庫へ案内する収納シュートとを備え、
前記硬貨搬送部に、前記識別部により計数された硬貨を通過させる返却口を形成し、
前記返却口の下方に配設され、前記返却口から落下した硬貨を前記硬貨返却箱へ直接案内する直接返却シュートを備えたことを特徴とする硬貨処理装置。
【請求項４】
請求項３の硬貨処理装置において、
前記返却口は、開閉可能なシャッタを有し、
前記識別部により計数された硬貨が所定枚数を超えたとき、前記シャッタの開閉を切替えることを特徴とする硬貨処理装置。
【請求項５】
請求項４の硬貨処理装置において、
前記識別部により計数された硬貨が所定枚数を超えたとき、前記返却口をシャッタで閉塞して前記硬貨を前記受入れ口から落下させることを特徴とする硬貨処理装置。
【請求項６】
請求項４の硬貨処理装置において、
前記識別部により計数された硬貨が所定枚数を超えたとき、前記返却口のシャッタを開放して前記硬貨を前記返却口から落下させることを特徴とする硬貨処理装置。
【請求項７】
請求項５または請求項６の硬貨処理装置において、
前記一時保留部の底部を予め収納放出口側に開放しておくことを特徴とする硬貨処理装置。
【請求項８】
硬貨投入部に投入された硬貨を計数する硬貨処理装置において、
硬貨投入部から１枚ずつ繰り出された硬貨を計数する識別部を有し、前記識別部により計数できなかった硬貨を通過させるリジェクト口および前記識別部により計数された硬貨を通過させる受入れ口が形成された円盤状の硬貨搬送部と、
前記識別部により計数された硬貨を貯留し、該硬貨の放出先としての返却放出口と収納放出口とを選択可能に開閉する底部を有する一時保留部と、
前記リジェクト口の下方に配設され、前記リジェクト口から落下した硬貨をリジェクト硬貨収容部へ案内するリジェクトシュートと、
前記受入れ口の下方に配設され、前記受入れ口から落下した硬貨を前記一時保留部へ案内する受入れシュートと、
前記一時保留部の返却放出口の下方に配設され、前記一時保留部から落下して前記返却放出口を通過した硬貨を硬貨返却箱へ案内する返却シュートと、
前記一時保留部の収納放出口の下方に配設され、前記一時保留部から落下して前記収納放出口を通過した硬貨を硬貨収納庫へ案内する収納シュートとを備え、
前記硬貨搬送部に、前記識別部により計数された硬貨を通過させる収納口を形成し、
前記収納口の下方に配設され、前記収納口から落下した硬貨を前記硬貨収納庫へ直接案内する直接収納シュートを備えたことを特徴とする硬貨処理装置。
【請求項９】
請求項８の硬貨処理装置において、
前記収納口は、開閉可能なシャッタを有し、
前記識別部により計数された硬貨が所定枚数を超えたとき、前記収納口をシャッタで閉塞して前記硬貨を前記受入れ口から落下させることを特徴とする硬貨処理装置。
【請求項１０】
請求項９の硬貨処理装置において、
前記一時保留部の底部を予め返却放出口側に開放しておくことを特徴とする硬貨処理装置。
【発明の詳細な説明】
【技術分野】
【０００１】
本発明は、硬貨投入部に投入された硬貨を計数する硬貨処理装置に関する。
【背景技術】
【０００２】
従来の硬貨処理装置は、硬貨投入部に一括して投入された硬貨を硬貨繰出し部で１枚ずつ繰出し、その硬貨繰出し部により繰り出された硬貨を１枚ずつ直列に並べた状態で移送する硬貨搬送部を装置の前後方向に沿って配置しているものがある（例えば、特許文献１参照）。
【先行技術文献】
【特許文献】
【０００３】
【特許文献１】特開２０００−２０７８５号公報（段落「０００７」〜段落「００１０」、図１）
【発明の概要】
【発明が解決しようとする課題】
【０００４】
しかしながら、上述した従来の技術においては、硬貨処理装置の前後方向に沿って配置される硬貨搬送部は移送する硬貨の上面および下面に接触して挟持する搬送ベルト対や搬送ローラ対およびそれらを駆動するモータ等の駆動手段等で構成する必要があり、その構成は複雑なものとなり、硬貨処理装置が大型化してしまい、また製造コストも高くなるという問題がある。
【０００５】
本発明は、このような問題を解決することを課題とし、硬貨処理装置を小型化することを目的とする。
【課題を解決するための手段】
【０００６】
そのため、本発明は、硬貨投入部に投入された硬貨を計数する硬貨処理装置において、硬貨投入部から１枚ずつ繰り出された硬貨を計数する識別部を有し、前記識別部により計数できなかった硬貨を通過させるリジェクト口および前記識別部により計数された硬貨を通過させる受入れ口が形成された円盤状の硬貨搬送部と、前記識別部により計数された硬貨を貯留し、該硬貨の放出先としての返却放出口と収納放出口とを選択可能に開閉する底部を有する一時保留部と、前記リジェクト口の下方に配設され、前記リジェクト口から落下した硬貨をリジェクト硬貨収容部へ案内するリジェクトシュートと、前記受入れ口の下方に配設され、前記受入れ口から落下した硬貨を前記一時保留部へ案内する受入れシュートと、前記一時保留部の返却放出口の下方に配設され、前記一時保留部から落下して前記返却放出口を通過した硬貨を硬貨返却箱へ案内する返却シュートと、前記一時保留部の収納放出口の下方に配設され、前記一時保留部から落下して前記収納放出口を通過した硬貨を硬貨収納庫へ案内する収納シュートとを備え、前記識別部により計数された硬貨をすべて前記硬貨返却箱へ移送する場合、前記一時保留部の底部を予め返却放出口側に開放しておくことを特徴とする。
【発明の効果】
【０００７】
このようにした本発明は、硬貨処理装置を小型化することができるという効果が得られる。
【図面の簡単な説明】
【０００８】
【図１】第１の実施例における硬貨処理装置の構成を示す概略側断面図
【図２】第１の実施例における硬貨処理装置の構成を示す概略正面図
【図３】第１の実施例における硬貨回収カセットの構成を示す説明図
【図４】第１の実施例における硬貨搬送部の構成を示す平面説明図
【図５】第１の実施例における一時保留部の構成を示す側面説明図
【図６】第１の実施例における硬貨返却経路を示す説明図
【図７】第１の実施例における硬貨収納経路を示す説明図
【図８】第２の実施例における硬貨返却経路を示す説明図
【図９】第３の実施例における硬貨収納経路を示す説明図
【図１０】第４の実施例における硬貨処理装置の構成を示す概略正面図
【図１１】第４の実施例における硬貨返却経路を示す説明図
【図１２】第４の実施例における硬貨搬送部の構成を示す平面説明図
【図１３】第５の実施例における硬貨処理装置の構成を示す概略正面図
【図１４】第５の実施例における硬貨収納経路を示す説明図
【図１５】第５の実施例における硬貨搬送部の構成を示す平面説明図
【発明を実施するための形態】
【０００９】
以下、図面を参照して本発明による硬貨処理装置の実施例を説明する。
【実施例１】
【００１０】
図１は第１の実施例における硬貨処理装置の構成を示す概略側断面図、図２は第１の実施例における硬貨処理装置の構成を示す概略正面図、図３は第１の実施例における硬貨回収カセットの構成を示す説明図、図４は第１の実施例における硬貨搬送部の構成を示す平面説明図、図５は第１の実施例における一時保留部の構成を示す側面説明図である。なお、図１において図中左側が硬貨処理装置の前面、図中右側が硬貨処理装置の後面である。
【００１１】
図１および図２において、１００は硬貨処理装置であり、図示しないディスプレイ等の表示部およびタッチパネル等の操作部や図示しない紙幣処理装置等が接続され、操作者による操作を操作部で受け付けて硬貨投入部に投入された硬貨の計数を行い、その計数結果を表示部に表示等するものである。
【００１２】
１は硬貨投入部であり、装置の上部前面側に設けられた開口部の下方に硬貨を一括して受け入れる円錐台状に形成された部材である。
【００１３】
２は硬貨繰出し部であり、硬貨投入部１の下方に配設され、硬貨投入部１に投入された硬貨を１枚ずつ繰出す繰出回転円盤等で構成されたものである。
【００１４】
３は硬貨搬送部であり、硬貨繰出し部２から１枚ずつ繰出された硬貨を搬送する搬送路を有し、その搬送路の上流より、硬貨の真偽、金種等を識別するとともに識別された金種毎の硬貨を計数するセンサ等で構成された硬貨識別部４、硬貨識別部４で偽硬貨と識別された硬貨や金種識別ができなかった硬貨等の計数できなかった硬貨（以下、「リジェクト硬貨」という。）を選択的に通過させるリジェクト口５、および硬貨識別部４で真硬貨と識別かつ金種識別され、計数された硬貨（以下、「正規硬貨」という。）を通過させる受入れ口６が順に配設されている。
【００１５】
この硬貨搬送部３は、図４に示すように硬貨収容部としてのＵ字状の切欠部３１が形成された円盤状の搬送ディスク３２で構成され、硬貨識別部４、リジェクト口５、および受入れ口６が搬送ディスク３２の硬貨収容部の回転軌跡に配置されている。この搬送ディスク３２が回転することにより、硬貨収容部に収容されて搬送される硬貨が硬貨識別部４で識別されるとともに、その識別結果に応じてリジェクト口５または受入れ口６を通過するように構成されている。なお、リジェクト口５には、硬貨識別部４の識別結果に応じて開閉可能なシャッタが設けられている。
【００１６】
７はリジェクトシュートであり、リジェクト口５の下方に、装置の前面下方に向かって斜めに配設され、筒状に形成された硬貨案内路である。このリジェクトシュート７は、リジェクト口５を通過し、落下する硬貨を後述するリジェクト硬貨収容部へ案内する。
【００１７】
８はリジェクト硬貨収容部であり、リジェクトシュート７の出口に配置され、リジェクトシュート７で案内された硬貨を収容するものである。
【００１８】
９は扉であり、操作者の操作により開閉可能になっており、リジェクト硬貨収容部８の前方の装置の前面に設けられたものである。この扉９を開放することにより、リジェクト硬貨収容部８に収容された硬貨を取り出すことができるようになっている。
【００１９】
１０は受入れシュートであり、受入れ口６の下方に、装置の略直下に向かって配設または装置のやや後方に向かって斜めに配設され、筒状に形成された硬貨案内路である。この受入れシュート１０は、受入れ口６を通過し、落下する硬貨を後述する一時保留部へ案内する。
【００２０】
ここで、リジェクトシュート７および受入れシュート１０は、図２に示すように装置の幅方向における左側と右側にスペースを分けるようにして配置されている。
【００２１】
１１は一時保留部であり、受入れシュート１０の出口に配置され、受入れシュート１０で案内された硬貨、すなわち硬貨識別部４で真硬貨と識別され、かつ金種識別された正規硬貨を一時的に貯留するものである。この一時保留部１１は、貯留した硬貨を返却するための返却経路または貯留した硬貨を収納するための収納経路の２つの経路に選択的に接続されている。
【００２２】
ここで、一時保留部１１は、図５に示すように、対向配置された平板状の一対の側板１１２に、一端が硬貨貯留部１１０の上部で回動可能に軸支され、櫛歯状に形成された自由端が互いに内側に傾斜した２つのガイド部材１１１ａ、１１１ｂを対向して配置し、その自由端が噛み合って硬貨貯留部１１０の底部を形成し、その一方のガイド部材（１１１ａまたは１１１ｂ）を回動させることにより硬貨貯留部１１０に貯留した硬貨を、後述する返却シュート１２の入り口である返却放出口１２１または後述する収納シュート１４の入り口である収納放出口１４１側に開放された底部から、返却放出口１２１または収納放出口１４１へ放出するように構成されている。
【００２３】
すなわち、一時保留部１１は、対向配置された平板状の一対の側板１１２と、その一対の側板１１２の間に対向配置されるとともに、それぞれの一端が回動可能に軸支され、それぞれの自由端が互いに内側に傾斜し、それぞれの自由端が当接して硬貨を貯留する空間としての硬貨貯留部１１０の底部を形成する二つのガイド部材（１１１ａ、１１１ｂ）とを有し、そのガイド部材（１１１ａ、１１１ｂ）のいずれか一方を回動させて返却放出口１２１と収納放出口１４１とを選択して底部を開放することができるようになっている。
【００２４】
なお、ガイド部材１１１ａを図中時計方向へ回動させることにより硬貨貯留部１１０に貯留した硬貨を返却放出口１２１側に開放された底部から返却放出口１２１へ放出し、ガイド部材１１１ｂを図中反時計方向へ回動させることにより硬貨貯留部１１０に貯留した硬貨を収納放出口１４１側に開放された底部から収納放出口１４１へ放出する。
【００２５】
このように一時保留部１１は、受入れシュート１０で案内された正規硬貨を貯留し、その硬貨の放出先としての返却放出口１２１と収納放出口１４１とを選択可能に開閉する底部を有している。
【００２６】
１２は返却シュートであり、一時保留部１１の返却放出口の下方に、装置の前面下方に向かって斜めに配設され、筒状に形成された硬貨案内路である。この返却シュート１２は、一時保留部１１から落下した硬貨を後述する硬貨返却箱に案内するための返却経路である。
【００２７】
１３は硬貨返却箱であり、返却シュート１２の出口に配置され、返却シュート１２で案内された硬貨を収容するものである。この硬貨返却箱１３は、一時保留部１１に貯留されたすべての硬貨を収容することができる容量を有し、装置前面より引き出し可能になっており、引き出すことにより収容した硬貨を取り出すことができるようになっている。
【００２８】
１４は収納シュートであり、一時保留部１１の収納放出口の下方に、装置の略直下に向かって配設され、筒状に形成された硬貨案内路である。この収納シュート１４は、一時保留部１１から落下した硬貨を後述する硬貨回収カセットへ案内するための収納経路である。
【００２９】
１５は硬貨収納庫としての硬貨回収カセットであり、収納シュート１４の出口に配設され、収納シュート１４で案内された硬貨を収納するものである。この硬貨回収カセット１５の上部には収納シュート１４の出口と対向する開口部１６が形成され、その開口部１６を通過して収納シュート１４で案内された硬貨が収納される。
【００３０】
また、硬貨回収カセット１５は、一時保留部１１の硬貨の貯留容量よりはるかに大きい容量を有する金庫であり、カセットベース１８およびその上に設置された保持ガイド１９ａ〜１９ｄで仕切られた領域内に搭載されている。さらに、硬貨回収カセット１５は、装置前面扉２０を開放した後、もしくは装置前面扉２０とともにカセットベース１８を引き出すことができるようになっており、カセットベース１８および保持ガイド１９ａ〜１９ｄの上方から着脱可能になっている。
【００３１】
また、硬貨回収カセット１５の開口部１６には、図３に示すように回収庫シャッタ２９が設けられており、装置に装着されているときは図示しない装置側のレバー等の係合部とシャッタ開閉機構とが係合して回収庫シャッタ２９は開口部１６を開放し、装置から取り外されたときは付勢手段により付勢されて回収庫シャッタ２９は開口部１６を閉塞するようになっている。
【００３２】
このように硬貨処理装置１００は、硬貨投入部１、硬貨繰出し部２、硬貨搬送部３、硬貨識別部４、リジェクトシュート７、リジェクト硬貨収容部８、受入れシュート１０、一時保留部１１、返却シュート１２、硬貨返却箱１３、収納シュート１４、硬貨回収カセット１５等で構成され、図２に示すように、硬貨繰出し部２、硬貨搬送部３、硬貨識別部４、リジェクトシュート７、リジェクト硬貨収容部８、受入れシュート１０、一時保留部１１、返却シュート１２、硬貨返却箱１３、収納シュート１４、および硬貨回収カセット１５は硬貨投入部１の幅よりも狭く構成されている。
【００３３】
なお、硬貨処理装置１００は、図示しないメモリ等の記憶部に記憶された制御プログラムに基づき中央処理演算装置等の制御部により、その全体の動作が制御される。
【００３４】
上述した構成の作用を図１に基づいて説明する。
【００３５】
硬貨投入部１に硬貨が一括して投入されると硬貨繰出し部２に硬貨が落下する。硬貨繰出し部２は、硬貨投入部１から落下してきた硬貨を１枚ずつ硬貨搬送部３へ送り出す。硬貨搬送部３は、図示しないモータにより回転して硬貨を搬送し、その硬貨は硬貨識別部４で真偽、金種が判別されるとともに計数される。
【００３６】
硬貨識別部４でリジェクト硬貨と識別されると図示しないシャッタによりリジェクト口５が開放され、硬貨搬送部３で搬送されるリジェクト硬貨はリジェクト口５から自由落下する。
【００３７】
リジェクト口５から自由落下したリジェクト硬貨は、リジェクトシュート７内を回転運動しながら落下してリジェクト硬貨収容部８に収容される。リジェクト硬貨収容部８に収容されたリジェクト硬貨は、扉９を押圧して開放することにより取り出すことができる。
【００３８】
一方、硬貨識別部４で正規硬貨と識別されると図示しないシャッタはリジェクト口５を閉塞し、硬貨搬送部３で搬送される正規硬貨はリジェクト口５を通過し受入れ口６から自由落下する。
【００３９】
受入れ口６から自由落下した正規硬貨は、受入れシュート１０内を回転運動しながら落下して一時保留部１１に貯留される。一時保留部１１が貯留された硬貨で満杯または硬貨繰出し部２からすべての硬貨が繰り出されると、一時保留部１１に貯留された硬貨の計数結果として金額が表示部に表示され、操作者はその金額を確認し、操作者は操作部により一時保留部１１に貯留した硬貨を硬貨回収カセット１５に収納するか硬貨返却箱１３に返却するかを選択操作する。
【００４０】
操作者は、計数した金額を確認し、一時保留部１１に貯留した硬貨を硬貨回収カセット１５に収納する場合は収納を指示する操作を行い、一方、一時保留部１１に貯留した硬貨を硬貨回収カセット１５に収納せず、硬貨返却箱１３に返却する場合（例えば、硬貨の収納を中止する場合や硬貨の計数を行いその硬貨を返却する場合）は返却を指示する操作を行うものとする。
【００４１】
ここで、一時保留部１１に貯留した硬貨を硬貨回収カセット１５に収納せず、硬貨返却箱１３に返却する場合の動作を図６に基づいて説明する。
【００４２】
一時保留部１１に貯留した硬貨を硬貨返却箱１３に返却する場合、一時保留部１１のガイド部材１１１ａを図中矢印Ａが示す返却シュート１２の方向へ回動させて一時保留部１１の返却シュート１２側の底部を開口する。ガイド部材１１１ａを回動させると一時保留部１１に貯留されていた硬貨は返却シュート１２を回転運動しながら落下し、硬貨返却箱１３に集積される。このとき、一時保留部１１のガイド部材１１１ｂを回動させず停止させておくことにより、一時保留部１１に貯留されていた硬貨はガイド部材１１１ｂに形成された斜面に案内されて返却シュート１２へ自由落下する。操作者は、硬貨返却箱１３を装置前面から引き出すことにより硬貨返却箱１３に集積された硬貨を取り出すことができる。
【００４３】
次に、一時保留部１１に貯留した硬貨を硬貨回収カセット１５に収納する場合の動作を図７に基づいて説明する。
【００４４】
一時保留部１１に貯留した硬貨を硬貨回収カセット１５に収納する場合、一時保留部１１のガイド部材１１１ｂを図中矢印Ｂが示す収納シュート１４の方向へ回動させて一時保留部１１の収納シュート１４側の底部を開口する。ガイド部材１１１ｂを回動させると一時保留部１１に貯留されていた硬貨は収納シュート１４を回転運動しながら落下し、開口部１６を通過して硬貨回収カセット１５に収納される。このとき、一時保留部１１のガイド部材１１１ａを回動させず停止させておくことにより、一時保留部１１に貯留されていた硬貨はガイド部材１１１ａに形成された斜面に案内されて収納シュート１４へ自由落下する。
【００４５】
硬貨回収カセット１５を装置から取り出す際は、図１に示すように前扉２０を開放した後、硬貨回収カセット１５が載置されたカセットベース１８を引き出し、硬貨回収カセット１５を上方へ引き上げる。このとき、硬貨回収カセット１５の回収庫シャッタ２９は閉塞されており、硬貨回収カセット１５に収納された硬貨には触手できないようになっている。装置から取り出された硬貨回収カセット１５は警備会社等の現金集配センタとしての警送センタ等において専用の鍵で扉が開錠され、収納された硬貨が取り出されるものとする。
【００４６】
このように硬貨搬送部３を円盤状に形成するとともに、その硬貨搬送部３からリジェクト硬貨収容部８および一時保留部１１への硬貨の搬送、ならびに一時保留部１１から硬貨返却箱１３および硬貨回収カセット１５への硬貨の搬送を、搬送ベルトや搬送ローラ等を用いることなく、筒状のシュートを用いて行い、そのシュート内を自由落下させて硬貨を移送するようにしたことにより、硬貨処理装置１００の幅および奥行きを小さくすることができ、硬貨処理装置１００の小型化を図ることができる。
【００４７】
なお、本実施例では、リジェクト硬貨収容部８を装置内に固定されたものとして説明したが、硬貨返却箱１３と同様に装置から取り出し可能な構成としても良い。
【００４８】
以上説明したように、第１の実施例では、硬貨搬送部を円盤状に形成するとともに、その硬貨搬送部からリジェクト硬貨収容部および一時保留部への硬貨の搬送、ならびに一時保留部から硬貨返却箱および硬貨回収カセットへの硬貨の搬送を、搬送ベルトや搬送ローラ等を用いることなく、筒状のシュートを用いて行い、そのシュート内を自由落下させて硬貨を移送するようにしたことにより、硬貨処理装置の幅および奥行きを小さくすることができ、硬貨処理装置の小型化を図ることができるという効果が得られる。
【００４９】
また、硬貨処理装置の小型化を図ることにより、狭い空間にも設置することができるという効果が得られる。
【００５０】
さらに、硬貨処理装置の低コスト化を実現することができるという効果が得られる。
【実施例２】
【００５１】
第２の実施例の構成は第１の実施例の構成と同様なので同一の符号を付してその説明を省略し、第２の実施例の作用を図８の第２の実施例における硬貨返却経路を示す説明図に基づいて説明する。なお、図８において図中左側が硬貨処理装置の前面、図中右側が硬貨処理装置の後面である。
【００５２】
まず、操作者の操作により、投入した硬貨を計数し、計数したすべての硬貨を硬貨返却箱へ返却する取引が操作部で選択されるものとする。
【００５３】
投入した硬貨を計数し、計数したすべての硬貨を硬貨返却箱へ返却する取引が選択されると図８に示すように予め一時保留部１１のガイド部材１１１ａを返却シュート１２の方向へ回動させて一時保留部１１の返却シュート１２（返却放出口）側の底部を開口し、その状態を保持する。
【００５４】
次に、硬貨投入部１に硬貨が一括して投入されると硬貨繰出し部２に硬貨が落下する。硬貨繰出し部２は、硬貨投入部１から落下してきた硬貨を１枚ずつ硬貨搬送部３へ送り出す。硬貨搬送部３は、図示しないモータにより回転して硬貨を搬送し、その硬貨は硬貨識別部４で真偽、金種が判別されるとともに計数される。
【００５５】
硬貨識別部４でリジェクト硬貨と識別されると図示しないシャッタによりリジェクト口５が開放され、硬貨搬送部３で搬送されるリジェクト硬貨はリジェクト口５から自由落下する。
【００５６】
リジェクト口５から自由落下したリジェクト硬貨は、リジェクトシュート７内を回転運動しながら落下してリジェクト硬貨収容部８に収容される。リジェクト硬貨収容部８に収容されたリジェクト硬貨は、扉９を押圧して開放することにより取り出すことができる。
【００５７】
一方、硬貨識別部４で正規硬貨と識別されると図示しないシャッタはリジェクト口５を閉塞し、硬貨搬送部３で搬送される正規硬貨はリジェクト口５を通過し受入れ口６から自由落下する。
【００５８】
受入れ口６から自由落下した正規硬貨は、受入れシュート１０内を回転運動しながら落下して一時保留部１１を通過し、返却シュート１２を回転運動しながら落下し、硬貨返却箱１３に集積される。
【００５９】
このとき、一時保留部１１のガイド部材１１１ｂを回動させず停止させておくことにより、受入れ口６から自由落下した硬貨はガイド部材１１１ｂに形成された斜面に案内されて返却シュート１２へ自由落下する。
【００６０】
操作者は、硬貨返却箱１３を装置前面から引き出すことにより硬貨返却箱１３に集積された硬貨を取り出すことができる。
【００６１】
このように硬貨投入部１に投入した硬貨を計数し、計数されたすべての硬貨を硬貨返却箱１３へ移送することが目的の場合、予め一時保留部１１のガイド部材１１１ａを回動させて一時保留部１１の底部を返却シュート１２（返却放出口）側に開放しておくことにより、一時保留部１１に硬貨を貯留することなく、硬貨投入後に、硬貨を返却することを選択する操作が簡略化されるとともに一時保留部１１のガイド部材１１１ａの回動の動作も必要なくなり、処理時間を短縮することができる。
【００６２】
以上説明したように、第２の実施例では、第１の実施例の効果に加え、計数されたすべての硬貨を返却することが目的の場合、予め一時保留部のガイド部材を回動させて一時保留部の返却シュート側の底部を開放しておくことにより、一時保留部に硬貨を貯留することなく、硬貨投入後に、硬貨を返却することを選択する操作が簡略化されるとともに一時保留部のガイド部材の回動の動作も必要なくなり、処理時間を短縮することができるという効果が得られる。
【００６３】
また、一時保留部に硬貨を貯留することがないのでガイド部材への硬貨の張り付きや引っ掛かりを防止することができるという効果が得られる。
【実施例３】
【００６４】
第３の実施例の構成は第１の実施例の構成と同様なので同一の符号を付してその説明を省略し、第３の実施例の作用を図９の第３の実施例における硬貨収納経路を示す説明図に基づいて説明する。なお、図９において図中左側が硬貨処理装置の前面、図中右側が硬貨処理装置の後面である。
【００６５】
まず、操作者の操作により、投入した硬貨の金額確認が不要であり、投入した硬貨を計数し、計数したすべての硬貨を硬貨回収カセットに収納する取引が操作部で選択されるものとする。
【００６６】
投入した硬貨を計数し、計数したすべての硬貨回収カセットに収納する取引が選択されると図９に示すように予め一時保留部１１のガイド部材１１１ｂを収納シュート１４の方向へ回動させて一時保留部１１の収納シュート１４（収納放出口）側の底部を開口し、その状態を保持する。
【００６７】
次に、硬貨投入部１に硬貨が一括して投入されると硬貨繰出し部２に硬貨が落下する。硬貨繰出し部２は、硬貨投入部１から落下してきた硬貨を１枚ずつ硬貨搬送部３へ送り出す。硬貨搬送部３は、図示しないモータにより回転して硬貨を搬送し、その硬貨は硬貨識別部４で真偽、金種が判別されるとともに計数される。
【００６８】
硬貨識別部４でリジェクト硬貨と識別されると図示しないシャッタによりリジェクト口５が開放され、硬貨搬送部３で搬送されるリジェクト硬貨はリジェクト口５から自由落下する。
【００６９】
リジェクト口５から自由落下したリジェクト硬貨は、リジェクトシュート７内を回転運動しながら落下してリジェクト硬貨収容部８に収容される。リジェクト硬貨収容部８に収容されたリジェクト硬貨は、扉９を押圧して開放することにより取り出すことができる。
【００７０】
一方、硬貨識別部４で正規硬貨と識別されると図示しないシャッタはリジェクト口５を閉塞し、硬貨搬送部３で搬送される正規硬貨はリジェクト口５を通過し受入れ口６から自由落下する。
【００７１】
受入れ口６から自由落下した正規硬貨は、受入れシュート１０内を回転運動しながら落下して一時保留部１１を通過し、収納シュート１４を回転運動しながら落下し、硬貨回収カセット１５に収納される。
【００７２】
このとき、一時保留部１１のガイド部材１１１ａを回動させず停止させておくことにより、受入れ口６から自由落下した硬貨はガイド部材１１１ａに形成された斜面に案内されて収納シュート１４へ自由落下する。
【００７３】
このように硬貨投入部１に投入した硬貨を計数し、計数されたすべての硬貨を硬貨回収カセット１５に移送することが目的の場合、予め一時保留部１１のガイド部材１１１ｂを回動させて一時保留部１１の底部を収納シュート１４（収納放出口）側に開放しておくことにより、一時保留部１１に硬貨を貯留することなく、硬貨投入後に、硬貨を収納することを選択する操作が簡略化されるとともに一時保留部１１のガイド部材１１１ｂの回動の動作も必要なくなり、処理時間を短縮することができる。
【００７４】
以上説明したように、第３の実施例では、第１の実施例の効果に加え、計数された硬貨を硬貨回収カセットに収納することが目的の場合、予め一時保留部のガイド部材を回動させて一時保留部の収納シュート側の底部を開放しておくことにより、一時保留部に硬貨を貯留することなく、硬貨投入後に、硬貨を収納することを選択する操作が簡略化されるとともに一時保留部のガイド部材の回動の動作も必要なくなり、処理時間を短縮することができるという効果が得られる。
【００７５】
また、一時保留部に硬貨を貯留することがないのでガイド部材への硬貨の張り付きや引っ掛かりを防止することができるという効果が得られる。
【００７６】
さらに、硬貨搬送部の受入れ口から受入れシュート、一時保留部、収納シュート、および硬貨回収カセットの開口部が略直線になるので投入されたすべての硬貨が硬貨回収カセットに収納されやすく、途中で硬貨が残留することを抑制することができるという効果が得られる。
【実施例４】
【００７７】
図１０は第４の実施例における硬貨処理装置の構成を示す概略正面図、図１１は第４の実施例における硬貨返却経路を示す説明図、図１２は第４の実施例における硬貨搬送部の構成を示す平面説明図である。なお、図１１において図中左側が硬貨処理装置の前面、図中右側が硬貨処理装置の後面であり、また上述した第１の実施例と同様の部分は、同一の符号を付してその説明を省略する。
【００７８】
図１０および図１１において、硬貨搬送部３には、リジェクト口５および受入れ口６のほかに、正規硬貨と識別され計数された硬貨を通過させ、落下させる返却口２３が配設されている。
【００７９】
この硬貨搬送部３は、第１の実施例と同様に硬貨収容部としてのＵ字状の切欠部３１が形成された円盤状の搬送ディスク３２で構成され、図１２に示すように硬貨識別部４、リジェクト口５、返却口２３および受入れ口６が搬送ディスク３２の硬貨収容部の回転軌跡に配置されている。この搬送ディスク３２が回転することにより、硬貨収容部に収容されて搬送される硬貨が硬貨識別部４で識別されるとともに、その識別結果に応じてリジェクト口５または返却口２３もしくは受入れ口６を通過するように構成されている。なお、返却口２３には、硬貨識別部４の識別結果に応じて開閉を切替えることができる開閉可能なシャッタが設けられている。
【００８０】
２４は直接返却シュートであり、返却口２３の下方に、装置の前面下方に向かって斜めに配設され、筒状に形成された硬貨案内路である。この直接返却シュート２４は、返却口２３を通過し、落下した硬貨を硬貨返却箱１３へ直接案内する。
【００８１】
上述した構成の作用について説明する。
【００８２】
操作者の操作により、投入した硬貨を計数し、計数したすべての硬貨を硬貨返却箱へ返却する取引、投入した硬貨の中から所定金種の所定枚数の硬貨を硬貨返却箱へ返却する取引、または投入した硬貨の中から所定金種の所定枚数の硬貨を硬貨回収カセットへ収納する取引が操作部で選択されるものとする。なお、所定の金種および所定の枚数は、操作者の操作により操作部で入力されるものとする。
【００８３】
まず、投入した硬貨を計数し、計数したすべての硬貨を硬貨返却箱へ返却する取引の動作を説明する。
【００８４】
硬貨投入部１に硬貨が一括して投入されると硬貨繰出し部２に硬貨が落下する。硬貨繰出し部２は、硬貨投入部１から落下してきた硬貨を１枚ずつ硬貨搬送部３へ送り出す。硬貨搬送部３は、図示しないモータにより回転して硬貨を搬送し、その硬貨は硬貨識別部４で真偽、金種が判別されるとともに計数される。
【００８５】
硬貨識別部４でリジェクト硬貨と識別されると図示しないシャッタによりリジェクト口５が開放され、硬貨搬送部３で搬送されるリジェクト硬貨はリジェクト口５から自由落下する。
【００８６】
リジェクト口５から自由落下したリジェクト硬貨は、リジェクトシュート７内を回転運動しながら落下してリジェクト硬貨収容部８に収容される。リジェクト硬貨収容部８に収容されたリジェクト硬貨は、扉９を押圧して開放することにより取り出すことができる。
【００８７】
一方、硬貨識別部４で正規硬貨と識別されると図示しないシャッタはリジェクト口５を閉塞し、硬貨搬送部３で搬送される正規硬貨はリジェクト口５を通過しシャッタが開放された返却口２３から自由落下する。返却口２３から自由落下した正規硬貨は、直接返却シュート２４内を回転運動しながら落下して硬貨返却箱１３に集積される。
【００８８】
次に、投入した硬貨の中から所定金種の所定枚数の硬貨を硬貨返却箱へ返却する取引の動作を説明する。
【００８９】
硬貨投入部１に硬貨が一括して投入されると硬貨繰出し部２に硬貨が落下する。硬貨繰出し部２は、硬貨投入部１から落下してきた硬貨を１枚ずつ硬貨搬送部３へ送り出す。硬貨搬送部３は、図示しないモータにより回転して硬貨を搬送し、その硬貨は硬貨識別部４で真偽、金種が判別されるとともに計数される。
【００９０】
硬貨識別部４でリジェクト硬貨と識別されると図示しないシャッタによりリジェクト口５が開放され、硬貨搬送部３で搬送されるリジェクト硬貨はリジェクト口５から自由落下する。リジェクト口５から自由落下したリジェクト硬貨は、リジェクトシュート７内を回転運動しながら落下してリジェクト硬貨収容部８に収容される。
【００９１】
一方、硬貨識別部４で正規硬貨と識別されると図示しないシャッタはリジェクト口５を閉塞し、硬貨搬送部３で搬送される正規硬貨が所定の金種の硬貨であり、その金種の硬貨が所定の枚数以下であると識別されたとき、硬貨搬送部３で搬送される正規硬貨はリジェクト口５を通過しシャッタが開放された（シャッタの開閉が切替えられた）返却口２３から自由落下する。返却口２３から自由落下した正規硬貨は、直接返却シュート２４内を回転運動しながら落下して硬貨返却箱１３に集積される。
【００９２】
なお、硬貨搬送部３で搬送される正規硬貨が所定の金種でない硬貨と識別されたとき、または所定の金種が所定の枚数を超えた硬貨と識別されたとき、返却口２３のシャッタを閉塞し、その硬貨はリジェクト口５および返却口２３を通過し、受入れ口６から落下して一時保留部１１に貯留される。
【００９３】
次に、投入した硬貨の中から所定金種の所定枚数の硬貨を硬貨回収カセットへ収納する取引の動作を説明する。
【００９４】
硬貨投入部１に硬貨が一括して投入されると硬貨繰出し部２に硬貨が落下する。硬貨繰出し部２は、硬貨投入部１から落下してきた硬貨を１枚ずつ硬貨搬送部３へ送り出す。硬貨搬送部３は、図示しないモータにより回転して硬貨を搬送し、その硬貨は硬貨識別部４で真偽、金種が判別されるとともに計数される。
【００９５】
硬貨識別部４でリジェクト硬貨と識別されると図示しないシャッタによりリジェクト口５が開放され、硬貨搬送部３で搬送されるリジェクト硬貨はリジェクト口５から自由落下する。リジェクト口５から自由落下したリジェクト硬貨は、リジェクトシュート７内を回転運動しながら落下してリジェクト硬貨収容部８に収容される。
【００９６】
一方、硬貨識別部４で正規硬貨と識別されると図示しないシャッタはリジェクト口５を閉塞し、硬貨搬送部３で搬送される正規硬貨が所定の金種の硬貨であり、その金種の硬貨が所定の枚数以下であると識別されたとき、返却口２３のシャッタを閉塞し、その硬貨はリジェクト口５および返却口２３を通過し、受入れ口６から落下して一時保留部１１に貯留される。
【００９７】
なお、硬貨搬送部３で搬送される正規硬貨が所定の金種でない硬貨と識別されたとき、または所定の金種が所定の枚数を超えた硬貨と識別されたとき、返却口２３のシャッタを開放し、その硬貨はリジェクト口５を通過し、シャッタの開閉が切替えられた返却口２３から自由落下する。返却口２３から自由落下した硬貨は、直接返却シュート２４内を回転運動しながら落下して硬貨返却箱１３に集積される。
【００９８】
このようにすることにより投入した硬貨の一部または全部の硬貨を硬貨返却箱１３に集積することができ、操作者は、硬貨返却箱１３を装置前面から引き出し、硬貨返却箱１３に集積された硬貨を取り出すことができる。
【００９９】
なお、硬貨返却箱１３に集積された硬貨を取り出し、その硬貨返却箱１３を装置に装着した後、操作者の収納または返却の選択操作を操作部で受け付け、一時保留部１１に貯留された硬貨を硬貨回収カセット１５に収納または硬貨返却箱１３に返却することができる。
【０１００】
このように直接返却シュート２４は、一時保留部１１を経由しないため、ガイド部材への硬貨の張り付きや引っ掛かりを防止することができる。
【０１０１】
以上説明したように、第４の実施例では、直接返却シュートは一時保留部を経由しないため、第２の実施例と比較して、よりガイド部材への硬貨の張り付きや引っ掛かりを防止することができ、残留硬貨の発生を防止できるという効果が得られる。
【０１０２】
また、直接返却シュートを設けたことにより、所望の金種・枚数の硬貨を振り分ける取引の処理時間を短縮することができるという効果が得られる。
【０１０３】
さらに、第３の実施例と組み合わせて一時保留部に硬貨を貯留しておく必要がない場合、予めガイド部材を回動させて一時保留部の収納シュート側の底部を開放しておくことにより、さらに処理時間を短縮することができるという効果が得られる。
【実施例５】
【０１０４】
図１３は第５の実施例における硬貨処理装置の構成を示す概略正面図、図１４は第５の実施例における硬貨収納経路を示す説明図、図１５は第５の実施例における硬貨搬送部の構成を示す平面説明図である。なお、図１４において図中左側が硬貨処理装置の前面、図中右側が硬貨処理装置の後面であり、また上述した第１の実施例と同様の部分は、同一の符号を付してその説明を省略する。
【０１０５】
図１３および図１４において、硬貨搬送部３には、リジェクト口５および受入れ口６のほかに、正規硬貨と識別され計数された硬貨を通過させ、落下させる収納口２５が配設されている。
【０１０６】
この硬貨搬送部３は、第１の実施例と同様に硬貨収容部としてのＵ字状の切欠部３１が形成された円盤状の搬送ディスク３２で構成され、図１５に示すように硬貨識別部４、リジェクト口５、収納口２５および受入れ口６が搬送ディスク３２の硬貨収容部の回転軌跡に配置されている。この搬送ディスク３２が回転することにより、硬貨収容部に収容されて搬送される硬貨が硬貨識別部４で識別されるとともに、その識別結果に応じてリジェクト口５または収納口２５もしくは受入れ口６を通過するように構成されている。なお、収納口２５には、硬貨識別部４の識別結果に応じて開閉可能なシャッタが設けられている。
【０１０７】
２６は直接収納シュートであり、収納口２５の下方に、装置の後面下方に向かって斜めに配設され、筒状に形成された硬貨案内路である。この直接収納シュート２６は、収納口２５を通過し、落下した硬貨を硬貨回収カセット１５へ直接案内する。
【０１０８】
上述した構成の作用について説明する。
【０１０９】
操作者の操作により、投入した硬貨を計数し、計数したすべての硬貨を硬貨回収カセットへ収納する取引、または投入した硬貨の中から所定金種の所定枚数の硬貨を硬貨回収カセットへ収納する取引が操作部で選択されるものとする。なお、所定の金種および所定の枚数は、操作者の操作により操作部で入力されるものとする。
【０１１０】
まず、投入した硬貨を計数し、計数したすべての硬貨を硬貨回収カセットへ収納する取引の動作を説明する。
【０１１１】
硬貨投入部１に硬貨が一括して投入されると硬貨繰出し部２に硬貨が落下する。硬貨繰出し部２は、硬貨投入部１から落下してきた硬貨を１枚ずつ硬貨搬送部３へ送り出す。硬貨搬送部３は、図示しないモータにより回転して硬貨を搬送し、その硬貨は硬貨識別部４で真偽、金種が判別されるとともに計数される。
【０１１２】
硬貨識別部４でリジェクト硬貨と識別されると図示しないシャッタによりリジェクト口５が開放され、硬貨搬送部３で搬送されるリジェクト硬貨はリジェクト口５から自由落下する。
【０１１３】
リジェクト口５から自由落下したリジェクト硬貨は、リジェクトシュート７内を回転運動しながら落下してリジェクト硬貨収容部８に収容される。リジェクト硬貨収容部８に収容されたリジェクト硬貨は、扉９を押圧して開放することにより取り出すことができる。
【０１１４】
一方、硬貨識別部４で正規硬貨と識別されると図示しないシャッタはリジェクト口５を閉塞し、硬貨搬送部３で搬送される正規硬貨はリジェクト口５を通過しシャッタが開放された収納口２５から自由落下する。収納口２５から自由落下した正規硬貨は、直接収納シュート２６内を回転運動しながら落下して硬貨回収カセット１５に収納される。
【０１１５】
次に、投入した硬貨の中から所定金種の所定枚数の硬貨を硬貨回収カセットへ収納する取引の動作を説明する。
硬貨投入部１に硬貨が一括して投入されると硬貨繰出し部２に硬貨が落下する。硬貨繰出し部２は、硬貨投入部１から落下してきた硬貨を１枚ずつ硬貨搬送部３へ送り出す。硬貨搬送部３は、図示しないモータにより回転して硬貨を搬送し、その硬貨は硬貨識別部４で真偽、金種が判別されるとともに計数される。
【０１１６】
硬貨識別部４でリジェクト硬貨と識別されると図示しないシャッタによりリジェクト口５が開放され、硬貨搬送部３で搬送されるリジェクト硬貨はリジェクト口５から自由落下する。リジェクト口５から自由落下したリジェクト硬貨は、リジェクトシュート７内を回転運動しながら落下してリジェクト硬貨収容部８に収容される。
【０１１７】
一方、硬貨識別部４で正規硬貨と識別されると図示しないシャッタはリジェクト口５を閉塞し、硬貨搬送部３で搬送される正規硬貨が所定の金種の硬貨であり、その金種の硬貨が所定の枚数以下であると識別されたとき、収納口２５のシャッタを開放し、その硬貨はリジェクト口５を通過し、収納口２５から自由落下する。収納口２５から自由落下した硬貨は、直接収納シュート２６内を回転運動しながら落下して硬貨回収カセット１５に収納される。
【０１１８】
なお、硬貨搬送部３で搬送される正規硬貨が所定の金種でない硬貨と識別されたとき、または所定の金種が所定の枚数を超えた硬貨と識別されたとき、収納口２５のシャッタを閉塞し、その硬貨はリジェクト口５を通過し、受入れ口６から落下して一時保留部１１に貯留される。
このようにすることにより投入した硬貨の一部または全部の硬貨を硬貨回収カセット１５に収納することができる。
【０１１９】
なお、投入されたすべての硬貨の計数が終了した後、操作者の収納または返却の選択操作を操作部で受け付け、一時保留部１１に貯留された硬貨を硬貨回収カセット１５に収納または硬貨返却箱１３に返却することができる。
このように直接収納シュート２６は、一時保留部１１を経由しないため、ガイド部材への硬貨の張り付きや引っ掛かりを防止することができる。
【０１２０】
以上説明したように、第５の実施例では、直接収納シュートは一時保留部を経由しないため、第３の実施例と比較して、よりガイド部材への硬貨の張り付きや引っ掛かりを防止することができ、残留硬貨の発生を防止できるという効果が得られる。
【０１２１】
また、直接収納シュートを設けたことにより、所望の金種・枚数の硬貨を振り分ける取引の処理時間を短縮することができるという効果が得られる。
さらに、第２の実施例と組み合わせて一時保留部に硬貨を貯留しておく必要がない場合、予めガイド部材を回動させて一時保留部の返却シュート側の底部を開放しておくことにより、さらに処理時間を短縮することができるという効果が得られる。
【符号の説明】
【０１２２】
１    硬貨投入部
２    硬貨繰出し部
３    硬貨搬送部
４    硬貨識別部
５    リジェクト口
６    受入れ口
７    リジェクトシュート
８    リジェクト硬貨収容部
９    扉
１０  受入れシュート
１１  一時保留部
１２  返却シュート
１３  硬貨返却箱
１４  収納シュート
１５  硬貨回収カセット
１６  開口部
１８  カセットベース
１９ａ〜１９ｄ  保持ガイド
２０  前面扉
２３  返却口
２４  直接返却シュート
２５  収納口
２６  直接収納シュート
１００  硬貨処理装置
【図１】
0005648364.tif 000002
【図２】
0005648364.tif 000003
【図３】
0005648364.tif 000004
【図４】
0005648364.tif 000005
【図５】
0005648364.tif 000006
【図６】
0005648364.tif 000007
【図７】
0005648364.tif 000008
【図８】
0005648364.tif 000009
【図９】
0005648364.tif 000010
【図１０】
0005648364.tif 000011
【図１１】
0005648364.tif 000012
【図１２】
0005648364.tif 000013
【図１３】
0005648364.tif 000014
【図１４】
0005648364.tif 000015
【図１５】
0005648364.tif 000016